(57)【要約】【課題】センサなどの付加的な装置を用いることなくブロワを駆動するモータの回転数を制御でき、また、必要とする最低限の負圧を供給しながら、ブロワを駆動するモータの回転数を抑制でき、自動ワインダーを円滑に稼動させながら省エネルギー化を図る。【解決手段】各ワインディングユニット１の糸継ぎ動作回数と、糸継ぎに失敗した失敗回数とを集計してシステム全体のミス率を算出する。算出したミス率に基づいて前記ブロワモータ１８に電力を供給するインバータ１９の出力周波数を増減制御する。【選択図】図１
2009102132.tif 000002
【特許請求の範囲】
【請求項１】
糸継ぎ機能を備えた複数台のワインディングユニットに向けて、糸継ぎ動作時において使用する負圧を供給するブロワシステムのブロワモータを制御する方法であって、
各ワインディングユニットの糸継ぎ動作回数と、糸継ぎに失敗した失敗回数とを集計してシステム全体のミス率を算出し、このミス率に基づいて前記ブロワモータに電力を供給するインバータの出力周波数を増減制御することを特徴とするブロワモータの制御方法。
【請求項２】
前記ブロワシステムは、前記ワインディングユニットに接続される複数の分岐管を備える吸気ダクトと、該吸気ダクトの一端に接続されて負圧を発生させるブロワと、該ブロワを回転駆動するブロワモータと、該ブロワモータに電力供給を行うインバータとを含み、
前記ブロワモータの回転数は、該ブロワモータに電力供給を行う前記インバータの出力周波数により制御されており、
前記ワインディングユニットは、糸欠陥が検出されると、糸を切断する糸切断装置と、糸切断動作により形成された下糸端と上糸端との糸継ぎ動作を行う糸継ぎ装置と、前記ブロワによって発生した負圧を利用して前記上糸端を吸引捕捉して前記糸継ぎ装置に受け渡すサクションマウスとを備えており、
各ワインディングユニットの糸継ぎ動作回数と、糸継ぎに失敗した失敗回数とを取得し、これら動作回数と失敗回数とからシステム全体の上糸口出しミス率を算出するミス率算出工程と、
前記ミス率算出工程において算出された上糸口出しミス率に基づいて、前記インバータの出力周波数を増減制御する周波数変更工程とを含む請求項１記載のブロワモータの制御方法。
【請求項３】
前記ミス率算出工程においては、設定時間毎に上糸口出しミス率を算出し、これを記憶部内に格納しており、
前記周波数変更工程においては、前記記憶部に格納されている直近の上糸口出しミス率を読み出し、算出された上糸口出しミス率が読み出された上糸口出しミス率よりも大きい場合には前記インバータの出力周波数を増加させ、算出された上糸口出しミス率が読み出された上糸口出しミス率と同一あるいは小さい場合には前記インバータの出力周波数を減少させる請求項２記載のブロワモータの制御方法。
【請求項４】
前記ミス率算出工程においては、設定時間毎に上糸口出しミス率を算出し、
前記周波数変更工程においては、上糸口出しミス率が算出されると、これを予め設定されているしきい値と比較し、算出された上糸口出しミス率がしきい値よりも大きい場合には前記インバータの出力周波数を増加させ、しきい値と同一あるいは小さい場合には前記インバータの出力周波数を減少させる請求項２記載のブロワモータの制御方法。
【請求項５】
前記周波数変更工程においては、前記インバータの出力周波数を、予め設定された最小値と最大値との範囲内で変動させるようになっている請求項２ないし請求項４のいずれかに記載のブロワモータの制御方法。
【請求項６】
自動ワインダーを構成する複数台のワインディングユニットに向けて負圧を供給するブロワシステムであって、
前記ブロワシステムは、前記ワインディングユニットに接続される複数の分岐管を備える吸気ダクトと、該吸気ダクトの一端に接続されて負圧を発生させるブロワと、該ブロワを回転駆動するブロワモータと、該ブロワモータに電力供給を行うインバータと、該インバータの出力周波数を増減制御することで、前記ブロワモータの回転数を調整する制御部とを含み、
前記ワインディングユニットは、糸欠陥が検出されると糸を切断する糸切断装置と、糸切断動作により形成された下糸端と上糸端との糸継ぎ動作を行う糸継ぎ装置と、前記ブロワによって発生した負圧を利用して上糸端を吸引捕捉して糸継ぎ装置に受け渡すサクションマウスとを備えており、
前記制御部が、各ワインディングユニットの糸継ぎ動作回数と、糸継ぎに失敗した失敗回数とを取得し、これら動作回数と失敗回数とからシステム全体の上糸口出しミス率を算出し、この上糸口出しミス率に基づいて、前記インバータの出力周波数を増減制御することを特徴とするブロワシステム。
【請求項７】
前記制御部で算出された設定時間毎の上糸口出しミス率が格納される記憶部を備え、
前記制御部は、上糸口出しミス率が算出されると前記記憶部に格納されている直近の上糸口出しミス率を読み出し、算出された上糸口出しミス率が読み出された上糸口出しミス率よりも大きい場合には前記インバータの出力周波数を増加させ、算出された上糸口出しミス率が読み出された上糸口出しミス率と同一あるいは小さい場合には前記インバータの出力周波数を減少させる請求項６記載のブロワシステム。
【請求項８】
予め設定されたしきい値が格納される記憶部を備え、
前記制御部は、上糸口出しミス率が算出されると、これを前記記憶部に格納されているしきい値と比較し、算出された上糸口出しミス率がしきい値よりも大きい場合には前記インバータの出力周波数を増加させ、しきい値と同一あるいは小さい場合には前記インバータの出力周波数を減少させる請求項６記載のブロワシステム。
【請求項９】
前記制御部が、前記インバータの出力周波数を予め設定された最小値と最大値との範囲内で変動させる請求項６ないし請求項８のいずれかに記載のブロワシステム。
【発明の詳細な説明】
【技術分野】
【０００１】
本発明は、自動ワインダーを構成する複数台のワインディングユニットに向けて負圧を供給するブロワモータの制御方法、および、ブロワシステムに関する。
【背景技術】
【０００２】
給糸ボビンから解舒される糸を巻き取ってパッケージを形成するための自動ワインダーのワインディングユニットには、糸欠陥が検出されたときに糸を切断し、糸欠陥を除去しつつ全自動的に糸継ぎを行う糸継ぎ機能が具備されている。かかる糸継ぎ動作においては、サクションマウスに供給される負圧（吸引力）によりパッケージ側の上糸端が捕捉され、このサクションマウスにより糸継ぎ装置に上糸端が受け渡される。このため、複数のワインディングユニットが並設された自動ワインダーにおいては、個々のワインディングユニットに対して負圧を供給する必要があり、共通の吸気ダクトを介して、該吸気ダクトに接続された１基のブロワで個々のワインディングユニットに負圧を供給するブロワシステムが広く採用されている。
【０００３】
近年、地球温暖化問題やランニングコストの観点から自動ワインダーにおいても省エネルギー化が重大な課題となっている。自動ワインダーの消費電力を分析すると、ブロワシステムのブロワを駆動しているブロワモータ（以下、単にモータと記す）の消費電力が占める割合が大きく、過剰な負圧を供給しないように該モータの回転数を適正に制御して、消費する電力を抑えることで省エネルギー化を達成できると考える。この種のブロワシステムにおけるモータの制御方法の公知例としては、例えば特許文献１を挙げることができ、そこでは、サクションボックス内に設けられたセンサで負圧を検出し、該センサの検出値に基づき負圧が一定になるようにインバータの周波数を制御することで、ブロワを駆動するモータの回転数を制御している。つまり、センサの検出値を、予め設定されているしきい値と比較し、検出値がしきい値よりも低い場合にはインバータの周波数を増やしてモータの回転数を上げ、検出値がしきい値よりも高い場合にはインバータの周波数を減らしてモータの回転数を下げている。
【０００４】
【特許文献１】実開平２−４０７５９号公報（第５頁第９〜１８行、第２図）
【発明の開示】
【発明が解決しようとする課題】
【０００５】
特許文献１において、予め設定されるしきい値は、自動ワインダーが円滑に稼動するのに必要な負圧の理論値であり、実際に必要な負圧より幾分高めに設定されている。このため、高めに設定された分だけモータの回転数が高くなり、電力を余分に消費する不利がある。圧力センサが異常状態に陥ったり、最悪の場合には故障する可能性もあり、調整や修理にコストが掛かる。
【０００６】
本発明の目的は、センサなどの付加的な装置が不要であり、システム全体の低コスト化とメンテナンスの容易化とを図ることができるブロワシステムおよびブロワモータの制御方法を得るにある。本発明の目的は、必要とする最低限の負圧を供給しながら、ブロワを駆動するブロワモータの回転数を抑制でき、したがって、自動ワインダーを円滑に稼動させながら省エネルギー化を図ることができるブロワシステムおよびブロワモータの制御方法を得るにある。
【課題を解決するための手段】
【０００７】
本発明は、糸継ぎ機能を備えた複数台のワインディングユニットに向けて、糸継ぎ動作時において使用する負圧を供給するブロワシステムのブロワモータを制御する方法を対象とする。各ワインディングユニットの糸継ぎ動作回数と、糸継ぎに失敗した失敗回数とを集計してシステム全体のミス率を算出する。このミス率に基づいて前記ブロワモータに電力を供給するインバータの出力周波数を増減制御することを特徴とする。
【０００８】
具体的には、前記ブロワシステムは、前記ワインディングユニットに接続される複数の分岐管を備える吸気ダクトと、該吸気ダクトの一端に接続されて負圧を発生させるブロワと、該ブロワを回転駆動するブロワモータと、該ブロワモータに電力供給を行うインバータとを含む。前記ブロワモータの回転数は、該ブロワモータに電力供給を行う前記インバータの出力周波数により制御されている。前記ワインディングユニットは、糸欠陥が検出されると、糸を切断する糸切断装置と、糸切断動作により形成された下糸端と上糸端との糸継ぎ動作を行う糸継ぎ装置と、前記ブロワによって発生した負圧を利用して前記上糸端を吸引捕捉して前記糸継ぎ装置に受け渡すサクションマウスとを備えている。ブロワモータの制御方法は、各ワインディングユニットの糸継ぎ動作回数と、糸継ぎに失敗した失敗回数とを取得し、これら動作回数と失敗回数とからシステム全体の上糸口出しミス率を算出するミス率算出工程と、前記ミス率算出工程において算出された上糸口出しミス率に基づいて、前記インバータの出力周波数を増減制御する周波数変更工程とを含む。
【０００９】
詳しくは、前記ミス率算出工程においては、設定時間毎に上糸口出しミス率を算出し、これを記憶部内に格納してある。前記周波数変更工程においては、前記記憶部に格納されている直近の上糸口出しミス率を読み出す。算出された上糸口出しミス率が読み出された上糸口出しミス率よりも大きい場合には、前記インバータの出力周波数を増加させる。算出された上糸口出しミス率が読み出された上糸口出しミス率と同一あるいは小さい場合には、前記インバータの出力周波数を減少させる。
【００１０】
前記ミス率算出工程においては、設定時間毎に上糸口出しミス率を算出するものとしてもよい。この場合には、前記周波数変更工程においては、上糸口出しミス率が算出されると、これを予め設定されているしきい値と比較する。算出された上糸口出しミス率がしきい値よりも大きい場合には、前記インバータの出力周波数を増加させる。しきい値と同一あるいは小さい場合には前記インバータの出力周波数を減少させる。
【００１１】
前記周波数変更工程においては、前記インバータの出力周波数を、予め設定された最小値と最大値との範囲内で変動させるようにすることが好ましい。
【００１２】
また本発明は、自動ワインダーを構成する複数台のワインディングユニットに向けて負圧を供給するブロワシステムを対象とする。前記ブロワシステムは、前記ワインディングユニットに接続される複数の分岐管を備える吸気ダクトと、該吸気ダクトの一端に接続されて負圧を発生させるブロワと、該ブロワを回転駆動するブロワモータと、該ブロワモータに電力供給を行うインバータと、該インバータの出力周波数を増減制御することで、前記ブロワモータの回転数を調整する制御部とを含む。ワインディングユニットは、糸欠陥が検出されると糸を切断する糸切断装置と、糸切断動作により形成された下糸端と上糸端との糸継ぎ動作を行う糸継ぎ装置と、前記ブロワによって発生した負圧を利用して上糸端を吸引捕捉して糸継ぎ装置に受け渡すサクションマウスとを備える。前記制御部が、各ワインディングユニットの糸継ぎ動作回数と、糸継ぎに失敗した失敗回数とを取得し、これら動作回数と失敗回数とからシステム全体の上糸口出しミス率を算出し、この上糸口出しミス率に基づいて、前記インバータの出力周波数を増減制御することを特徴とする。
【００１３】
具体的には、前記制御部で算出された設定時間毎の上糸口出しミス率が格納される記憶部を備えるものとすることができる。前記制御部は、上糸口出しミス率が算出されると前記記憶部に格納されている直近の上糸口出しミス率を読み出す。算出された上糸口出しミス率が読み出された上糸口出しミス率よりも大きい場合には、前記インバータの出力周波数を増加させる。算出された上糸口出しミス率が読み出された上糸口出しミス率と同一あるいは小さい場合には、前記インバータの出力周波数を減少させる。
【００１４】
予め設定されたしきい値が格納される記憶部を備えるものとしてもよい。この場合には、前記制御部は、上糸口出しミス率が算出されると、これを前記記憶部に格納されているしきい値と比較する。算出された上糸口出しミス率がしきい値よりも大きい場合には、前記インバータの出力周波数を増加させる。しきい値と同一あるいは小さい場合には、前記インバータの出力周波数を減少させる。
【００１５】
前記制御部が、前記インバータの出力周波数を予め設定された最小値と最大値との範囲内で変動変動させるようにすることが好ましい。
【発明の効果】
【００１６】
本発明のブロワシステム及びブロワモータの制御方法においては、各ワインディングユニットのサクションマウスが糸継ぎ装置への受け渡し動作を行った動作回数と、該上糸端の前記糸継ぎ装置への受け渡し動作に失敗した失敗回数とに基づいて、システム全体の上糸口出しミス率（ミス率）を算出し、この上糸口出しミス率に基づいて、インバータの出力周波数を増減制御して、ブロワモータの回転数を増減させるようにした。つまり、各ワインディングユニットの受け渡し動作の動作回数と失敗回数とを集計してシステム全体の上糸口出しミス率を算出し、このミス率に基づいて、インバータの出力周波数を増減制御するようにした。したがって、本発明によれば、従来のブロワシステムにおいては不可欠であった負圧検出用のセンサを排して、システム全体の構造を簡素化することができるので、ブロワシステムの低コストを図ることができる。センサが異常状態に陥ったり、故障するおそれが無く、したがってメンテナンスの手間が少なくて済み、ブロワシステムの維持費を削減できる。
【００１７】
上述のように、特許文献１において、予め設定されているしきい値は、自動ワインダーが円滑に稼動するのに必要な負圧の理論値であり、実際に必要な負圧より幾分高めに設定されている。したがって、高めに設定された分だけモータの回転数が高くなり、電力を余分に消費することが避けられない。これに対して本発明においては、上糸口出しミス率に基づいて、インバータの出力周波数を増減制御して、ブロワモータの回転数を増減させるようにしたので、必要とする最小限の負圧を供給しながら、ブロワを駆動するブロワモータの回転数を抑制でき、自動ワインダーを円滑に稼動させながら省エネルギー化を図ることができる。つまり、上糸口出しミス率（ミス率）が基準値よりも高い場合には、供給されている負圧が不足して上糸口出し動作が適切に行われていないと判断でき、また、上糸口出しミス率が基準値と同程度あるいは低い場合には、負圧は十分に供給されていると判断することができる。したがって、必要とする最小限の負圧を供給しながら、ブロワを駆動するブロワモータの回転数を効果的に抑制することができる。ワインディングユニットが処理する糸の状態に応じて、適宜且つ自動的にブロワモータの回転数を増減制御できる点でも優れている。
【００１８】
具体的には、上記の基準値としては、直近の上糸口出しミス率を採用することができる。これによれば、算出されたミス率と直近のミス率とを比較して、前者が後者よりも大きい場合には、サクションマウスに供給される負圧が不足気味であり、受け渡し動作の失敗が多くなる傾向にあると判断して、インバータの出力周波数を増やしてブロワモータの回転数を増加させる。また、算出されたミス率と直近のミス率とを比較し、前者が後者よりも小さい場合には、サクションマウスに供給される負圧が過剰気味であると判断して、インバータの出力周波数を減らして、ブロワモータの回転数を低下させる。
【００１９】
上記の基準値としては、予め設定されているしきい値であってもよい。これによれば、算出されたミス率としきい値とを比較して、前者が後者よりも大きい場合には、サクションマウスに供給される負圧が不足気味であり、受け渡し動作の失敗が多くなる傾向にあると判断して、インバータの出力周波数を増やしてブロワモータの回転数を増加させる。また、算出されたミス率と直近のミス率とを比較し、前者が後者よりも小さい場合には、サクションマウスに供給される負圧が過剰気味であると判断して、インバータの出力周波数を減らして、ブロワモータの回転数を低下させる。
【００２０】
加えて、インバータの出力周波数に最小値と最大値とを設定してあると、供給する負圧の最低値を規定することができ、また、モータの回転数がブロワの出力特性の適正範囲を超えて上昇することを防止できる。また、ブロワの回転数が異常に低くなったり、異常に高くなったりすることがなく、信頼性に優れたブロワシステムを得ることができる。
【発明を実施するための最良の形態】
【００２１】
（第１実施例）  本発明に係るブロワモータの制御方法を適用した自動ワインダーの第１の実施例を図１ないし図４に基づき説明する。自動ワインダーは、図２に示すように、列状に配置した一群のワインディングユニット１と、各ワインディングユニット１に負圧を供給するためのブロワシステム２と、一群のワインディングユニット１およびブロワシステム２の運転管理をする制御装置３とで構成される。
【００２２】
図３において、ワインディングユニット１は、起立固定される縦長箱状の本体フレーム５を基体にして構成する。本体フレーム５の一側には、バルーンブレーカー６と、テンション装置７と、糸継ぎ装置８と、スラブキャッチャー９などが、フレーム下部からフレーム上部へ向かって記載順に配置してある。本体フレーム５の一側上部には、糸Ｙを一定の幅範囲で変位操作する綾振ドラム１０と、パッケージＰを回転自在に軸支するクレードル１１などが配置してある。これらの機器以外に、切断された糸Ｙを吸引捕捉して糸継ぎ装置８に渡す中継ぎパイプ１２とサクションマウス１３が、先の機器列の中途部に上下方向へ旋回可能に設けられている。
【００２３】
バルーンブレーカー６の下方には、精紡ボビンＢが起立姿勢で支持されている。精紡ボビンＢから繰り出された糸Ｙは、先の各機器６〜９を通過する間に糸欠陥の有無がチェックされ、糸欠陥が発見されるとスラブキャッチャー９に設けたカッターで切断される。このカッターが本発明の「糸切断手段」を構成する。
【００２４】
糸Ｙの巻き取り動作中に糸Ｙの欠陥部が検出されて、糸Ｙが切断される。この欠陥部を除去して、上糸と下糸を繋ぐ糸継ぎ動作が行われる。糸Ｙが切断されると、欠陥部を含む上糸はパッケージＰに巻き取られ、下糸は、中継ぎパイプ１２に捕捉される。次いで、サクションマウス１３が上方へ旋回し、パッケージＰに巻き取られた上糸の上糸端を吸引捕捉する。その後、中継ぎパイプ１２およびサクションマウス１３がそれぞれ旋回して、下糸および上糸を糸継ぎ装置８に受け渡し、欠陥部が除去されると共に糸継ぎされる。欠陥部を含む上糸はサクションマウス１３に吸引捕捉され、糸継ぎ装置８で下糸と糸継ぎされる際に、欠陥部を含む上糸の糸端部分が糸継ぎ装置８に設けられたカッターにより切断されて、くず糸として廃棄される。ワインディングユニット１に供給される負圧は、主に糸継ぎ動作時に糸継ぎ装置８と、中継ぎパイプ１２およびサクションマウス１３とで必要となるが、中でも、サクションマウス１３が上糸端を吸引捕捉する際に最も消費される。
【００２５】
ブロワシステム２は、図２および図３に示すように、一端にはブロワ１７が設置されて他端は封止された吸気ダクト１６と、ブロワ１７を回転駆動するモータ（ブロワモータ）１８と、モータ１８に電力供給を行うインバータ１９と、各ワインディングユニット１と吸気ダクト１６とを接続し負圧を供給する分岐管２０と、ブロワ１７とワインディングユニット１との間に設置されるサクションボックス２１とを備えている。吸気ダクト１６はワインディングユニット１の背面側を列の方向に沿って配置される。ブロワ１７は、ケーシング内でインペラーが回転して負圧を発生させる遠心式のファンである。なお、サクションボックス２１には、糸継ぎ動作などで吸引された糸くずなどの塵を取り除くためのフィルター（図示しない）を取り付けてあり、ブロワ１７側に塵が流入しないようにしてある。
【００２６】
制御装置３は、各ワインディングユニット１の運転管理と、ブロワシステム２の運転管理を行う。図１に示すように、制御装置３は、機器の制御を行う制御部２３と、各種データを保存してあるメモリ２４（記憶部）を備えている。メモリ２４は、電源を遮断してもデータが消去されない不揮発性の記憶装置である。制御装置３の前面には、入力装置（図示しない）が設けられて、作業者が運転指示や設定変更などの操作が行えるようになっている。
【００２７】
各ワインディングユニット１に供給される負圧は、ブロワシステム２によって供給されている。ブロワ１７を回転駆動するモータ１８にインバータ１９から電力が供給されるとブロワ１７によって負圧が発生し、吸気ダクト１６および分岐管２０を介してワインディングユニット１に負圧が供給される。供給された負圧により各ワインディングユニット１は糸継ぎ動作などを行うことができ、精紡ボビンＢから糸Ｙが巻き取られてパッケージＰが形成される。
【００２８】
ワインディングユニット１は、ブロワシステム２により負圧を供給されており、そのほとんどが糸継ぎ動作に使用される。特に糸Ｙが切断された時にパッケージＰに巻き取られる上糸を吸引捕捉するサクションマウス１３で必要となる。供給される負圧が不足していると、糸継ぎ動作時に、サクションマウス１３による上糸端の吸引捕捉ができずに、該上糸端が糸継ぎ装置に受け渡されないために糸継ぎ動作を完了することができない。糸継ぎ動作が完了しなかった場合には、再度サクションマウス１３が旋回して上糸端の捕捉を試みる動作を行う。
【００２９】
上述のように、ワインディングユニット１はこの糸継ぎ動作の結果を記録しており、制御部２３は、各ワインディングユニット１の上糸口出しミス率（ＭＵＰ）を集計して、上糸口出しミス率を算出し、その値をメモリ２４に記憶された前回算出された値と比較してインバータ１９の出力周波数を増減させる。本実施例では、インバータ１９の出力周波数を１Ｈｚ刻みで増減するようにした。
【００３０】
算出した上糸口出しミス率（ＭＵＰ）が前回値より大きい場合には、インバータ１９の出力周波数を１Ｈｚ上昇させてモータ１８の回転数を上昇させ、糸継ぎ動作が円滑に行われるようにブロワ１７が発生する負圧が増加するように制御する。逆に、算出した上糸口出しミス率（ＭＵＰ）が前回値より小さいあるいは同一の場合には、インバータ１９の出力周波数を１Ｈｚ低下させてモータ１８の回転数を下降させ、モータ１８に供給する電力を抑えてブロワ１７が発生する負圧が低下するように制御する。
【００３１】
図４を用いて本実施例のブロワモータの制御方法をより詳しく説明する。自動ワインダーの電源が投入されると、制御部２３はメモリ２４に保存されているインバータ１９の出力周波数と上糸口出しミス率（ＭＵＰ）を読み込む（Ｓ１）。すなわち、電源投入時には、前回のインバータ１９の出力周波数でブロワ１７のモータ１８に電力を供給する。糸の巻き取り動作が開始されるとタイマを作動させて計時を開始する（Ｓ２）。巻き取り動作が設定された時間経過すると（Ｓ３でＹＥＳ）、制御部２３は、稼動しているワインディングユニット１に記録されているデータを読み取り、取得したデータに基づいてＭＰＵ値を算出し、メモリ２４に保存されている前回のＭＵＰ値と比較する（Ｓ４）。比較したＭＵＰ値が前回値より大きい場合には（Ｓ５でＹＥＳ）、現在のインバータ１９の出力周波数が、制御部２３に予め設定された最大値であるか否かを確認し（Ｓ６）、最大値になっていれば、現在の出力周波数を維持し（Ｓ７）、最大値になっていなければ出力周波数を１Ｈｚ増加させるようにインバータ１９を制御する（Ｓ８）。インバータ１９の出力周波数が増えるとモータ１８の回転数が上昇し、ブロワ１７によってワインディングユニット１に供給される負圧が上昇する。そして、変更した出力周波数と算出したＭＵＰ値とをメモリ２４に保存して（Ｓ９）、再びタイマによる計時を開始する。
【００３２】
次に、比較したＭＵＰ値が前回値より小さいあるいは同一の場合には（Ｓ５でＮＯ）、現在のインバータ１９の出力周波数が、制御部２３に予め設定された最小値であるか否かを確認し（Ｓ１０）、最小値になっていれば、現在の出力周波数を維持し（Ｓ１１）、最小値になっていなければ出力周波数を１Ｈｚ減少させるようにインバータ１９を制御する（Ｓ１２）。インバータ１９の出力周波数が減少するとモータ１８の回転数が下降し、ブロワ１７によってワインディングユニット１に供給される負圧が低下する。そして、変更した出力周波数と算出したＭＵＰ値とをメモリ２４に保存して（Ｓ９）、再びタイマによる計時を開始する。保存された出力周波数は、次回起動時の初期値として使用され、ＭＵＰ値は、次回の比較時に前回値として使用する。
【００３３】
（第２実施例）  本発明に係るブロワモータの制御方法を適用した自動ワインダーの第２の実施例を説明する。自動ワインダーの構成は、第１実施例と同一であるので、説明は省略する。第２実施例では予め設定されているしきい値と算出したＭＵＰ値とを比較し、この比較結果に基づいてインバータ１９の出力周波数を制御する。
【００３４】
図５を用いて本発明の第２の実施例のブロワモータの制御方法を説明する。自動ワインダーの電源が投入されると、制御部２３はメモリ２５に保存されているインバータ１９の出力周波数を読み込む（Ｓ１３）。すなわち、電源投入時には、前回のインバータ１９の出力周波数でブロワ１７のモータ１８に電力を供給する。糸の巻き取り動作が開始されるとタイマを作動させて計時を開始する（Ｓ１４）。巻き取り動作が設定された時間経過すると（Ｓ１５でＹＥＳ）、制御部２３は、稼動しているワインディングユニット１に記録されているデータを読み取り、取得したデータに基づいてＭＵＰ値を算出し、メモリ２４に保存されている予め設定されたしきい値と比較する（Ｓ１６）。比較したＭＵＰ値が前回値より大きい場合には（Ｓ１７でＹＥＳ）、現在のインバータ１９の出力周波数が、制御部２３に予め設定された最大値であるか否かを確認し（Ｓ１８）、最大値になっていれば、現在の出力周波数を維持し（Ｓ１９）、最大値になっていなければ出力周波数を１Ｈｚ増加させるようにインバータ１９を制御する（Ｓ２０）。インバータ１９の出力周波数が増えるとモータ１８の回転数が上昇し、ブロワ１７によってワインディングユニット１に供給される負圧が上昇する。そして、変更した出力周波数をメモリ２４に保存して（Ｓ２１）、再びタイマによる計時を開始する。
【００３５】
次に、比較したＭＵＰ値が前回値より小さいあるいは同一の場合には（Ｓ１７でＮＯ）、現在のインバータ１９の出力周波数が、制御部２３に予め設定された最小値であるか否かを確認し（Ｓ２２）、最小値になっていれば、現在の出力周波数を維持し（Ｓ２３）、最小値になっていなければ出力周波数を１Ｈｚ減少させるようにインバータ１９を制御する（Ｓ２４）。インバータ１９の出力周波数が減少するとモータ１８の回転数が降下し、ブロワ１７によってワインディングユニット１に供給される負圧が低下する。そして、変更した出力周波数をメモリ２４に保存して（Ｓ２１）、再びタイマによる計時を開始する。Ｓ２１で保存された出力周波数は、次回の起動時に初期値として使用する。
【００３６】
上記のように、上糸口出しミス率に基づいてインバータ１９の出力周波数を制御して、モータ１８の回転数を制御すると、上糸口出しミス率は、従来からワインディングユニット１自体が管理しているデータを利用して算出するので、圧力センサなど付加的な機器を用いなくてもワインディングユニット１に適正な負圧が供給されているかどうかが判断でき、したがって、センサが不要であり、自動ワインダーのコストの低減とメンテナンスの容易化とを図ることができる。
【００３７】
設定時間毎に制御部２３でワインディングユニット１の上糸口出しミス率を算出して、前回算出された上糸口出しミス率、あるいは、予め設定されたしきい値を基準にして比較すると、大きくなっている場合は、供給される負圧が不足して、サクションマウス１３による上糸口出し動作が適切に行われていないと判断でき、ブロワ１７の発生する負圧が上昇するようにインバータ１９の出力周波数を増加させて、モータ１８の回転数を上げるように制御できる。同一あるいは小さくなっている場合は、負圧が十分であり、サクションマウス１３の上糸口出し動作が適切に行われていると判断でき、ブロワ１７の発生する負圧が低下するように、インバータ１９の周波数を減少させてモータ１８の回転数を低下させるよう制御できる。このように、ワインディングユニット１の稼動状況に応じて、必要な時には負圧を上昇させ、または、不必要な時には負圧を低下させるようにインバータ１９の出力周波数を制御することで、モータ１８の消費する電力を抑えることができ、したがって、自動ワインダーの省エネルギー化に貢献できる。
【００３８】
加えて、インバータ１９の出力周波数に最小値と最大値とを設定してあると、供給する負圧の最低値を規定することができ、また、モータ１８の回転数がブロワ１７の出力特性の適正範囲を超えて上昇することを防止できる。また、ブロワ１７の回転数が異常に低くなったり、異常に高くなったりすることがなく、信頼性に優れたブロワシステム２を得ることができる。
【図面の簡単な説明】
【００３９】
【図１】本発明に係る自動ワインダーのブロック構成図である。
【図２】ワインディングユニットの正面図である。
【図３】自動ワインダーの全体図である。
【図４】本発明に係る制御方法の第１実施例を示すフローチャートである。
【図５】本発明に係る制御方法の第２実施例を示すフローチャートである。
【符号の説明】
【００４０】
１  ワインディングユニット
２  ブロワシステム
８  糸継ぎ装置
１３  サクションマウス
１６  吸気ダクト
１７  ブロワ
１８  ブロワモータ
１９  インバータ
２０  分岐管
２３  制御部
２４  記憶部（メモリ）
【図１】
2009102132.tif 000003
【図２】
2009102132.tif 000004
【図３】
2009102132.tif 000005
【図４】
2009102132.tif 000006
【図５】
2009102132.tif 000007